(57)【要約】【課題】マイナスイオン発生装置を提供する。【解決手段】本発明に係るマイナスイオン発生装置は、マイナスイオン発生器と、吸込収納構造と、気体供給瓶とを備え、前記吸込収納構造は、前記マイナスイオン発生器のマイナスイオン発生部の外に設置され、前記吸込収納構造は、通路を有し、前記吸込収納構造は、前記通路の一端に収納部が開設され、前記マイナスイオン発生部が前記通路に位置決められ、その末端が収納部の内部に設けられ、前記気体供給瓶は、瓶体と、供気部と、配気管と、嵌め具とを有し、前記瓶体の上に前記供気部が設けられ、前記供気部の内部に切替バルブが設置され、前記供気部から外向きに前記配気管が接続され、前記配気管から前記嵌め具が延設され、それと同時に、吸込収納構造及び嵌め具を合わせて用いることにより、有用な水素ガスまたはその他の気体を同時に吸引するとともに、マイナスイオンを吸入することが可能となる。【選択図】  図１
2014100221.tif 000002
【特許請求の範囲】
【請求項１】
マイナスイオン発生器と、吸込収納構造とを備えるマイナスイオン発生装置であって、
前記マイナスイオン発生器は、本体と、導線と、マイナスイオン発生部と、電源供給端とからなり、前記マイナスイオン発生部の外に、前記吸込収納構造が設置され、前記吸込収納構造は、前記マイナスイオン発生部の円径より大きい円径をもつ通路を有し、前記吸込収納構造は、前記通路の一端に通路内径より大きい円径をもつ収納部が開設され、前記マイナスイオン発生部が前記通路に位置決められ、その末端が前記収納部の内部に設けられることを特徴とする、マイナスイオン発生装置。
【請求項２】
前記マイナスイオン発生部の末端が、前記収納部の開口端縁と距離を有することを特徴とする、請求項１に記載のマイナスイオン発生装置。
【請求項３】
前記マイナスイオン発生部は、前記通路との間に空気を流通させる間隔を有することにより、空気をその間隔の隙間に流通させることが可能であることを特徴とする、請求項１に記載のマイナスイオン発生装置。
【請求項４】
マイナスイオン発生器と、吸込収納構造と、気体供給瓶とを備えるマイナスイオン発生装置であって、
前記マイナスイオン発生器は、本体と、導線と、マイナスイオン発生部と、電源供給端とからなり、
前記吸込収納構造は、前記マイナスイオン発生部の外に設置され、前記吸込収納構造は、前記マイナスイオン発生部の円径より大きい円径をもつ通路を有し、前記吸込収納構造は、前記通路の一端に通路内径より大きい円径をもつ収納部が開設され、前記マイナスイオン発生部が前記通路に位置決められ、その末端が前記収納部の内部に設けられ、
前記気体供給瓶は、瓶体と、供気部と、配気管と、嵌め具とを有し、前記瓶体の上に前記供気部が設けられ、前記供気部の内部に切替バルブが設置され、前記供気部から外向きに前記配気管が接続され、前記配気管から前記嵌め具が延設され、前記嵌め具の内部に前記配気管と接続するための連通管を有するとともに、前記吸込収納構造及び前記嵌め具を合わせて用いることにより、使用者が有用な水素ガスまたはその他の気体を吸引すると同時に、マイナスイオンを吸入することに供されることを特徴とする、マイナスイオン発生装置。
【請求項５】
前記嵌め具は、前記吸込収納構造の一側に設置されることを特徴とする、請求項４に記載のマイナスイオン発生装置。
【発明の詳細な説明】
【技術分野】
【０００１】
本発明は、マイナスイオン発生装置に係り、特に、マイナスイオンを人間の体に吸収することができる、マイナスイオン発生装置に関する。
【背景技術】
【０００２】
医学的観念の進歩に伴い、現代人が自身の体への介護概念に対する関心が高まりつつある。特に、工業社会による相対的に高汚染の居住環境に長期にわたり、これらの汚染は、無形に体が年を取り、老齢になって重症な病気で寝込んだり、絶えず痛め続けたりすることを引き起こす恐れがある。特別に、当今の都市中の空気汚染により、環境中で溢れた炭素が排出されて生成されたプラスイオンが含有量過多になってしまう。そのため、人間の体にプラスイオンを過多に吸収される場合では、人体内に分解しきれない余分な酸化基が過剰に存在することとなり、このことは、発癌や他の病気になる確率が高くなる原因であるといわれており、また、昔から変わらず、現代人の身体的健康に隠れた悩みでもある。
【０００３】
現今の研究から分かるように、空気中に含まれるマイナスイオン濃度が一定量に達した際に人間の体の健康には大きく貢献でき、かつ体の抵抗力と免疫機能を高め、病気に対して治療する効果もあるかもしれない。また、マイナスイオンが病菌と混合した後に、病菌の発生メカニズムが変化するために、病菌を死滅させることができる。また、マイナスイオンは空気清浄の機能を有し、空気中の浮遊粒子を除去し、それを沈殿させることで空気汚染を改善する目的が達成される。さらに、マイナスイオンは人間の体に対して細胞の活性化や、抵抗力の増進などのような直接的な効果を有する。
【発明の概要】
【発明が解決しようとする課題】
【０００４】
また、マイナスイオンは人間の体の健康に相当有益な効果を有し、かつ空気と生活環境の品質を改善することができるので、マイナスイオンに関連する種々の電気製品が市販されて満ち溢れるほどになり、上記電気製品の例としては、空気清浄機、ヘアードライヤー、空気調和機などが挙げられる。これらのいずれもマイナスイオンの利点及び環境と人体に対するメリットに着目して、本来の電子製品の機能にマイナスイオンをもつ効果を追加することも意図しており、それにより、殺菌、空気清浄化や人体の健康増進などの目的が達成される。しかし、これらの製品は、主に、発生されたマイナスイオンを環境の空気中に放出すると、理論的に空気清浄化効果及び殺菌効果が奏されるが、発生されたマイナスイオンを空気中に希釈して濃度が著しく薄くなるので、効果が十分に発揮できず、人間の体の健康に有益な効果を与えることがほとんどないこともある。したがって、現在のマイナスイオン製品の重要課題は、如何にして人体にマイナスイオンを効率的に吸収するかである。
【課題を解決するための手段】
【０００５】
本発明に係るマイナスイオン発生装置は、マイナスイオン発生器と、吸込収納構造とを備え、前記マイナスイオン発生器は、本体と、導線と、マイナスイオン発生部と、電源供給端とからなり、前記マイナスイオン発生部の外に、吸込収納構造が設置され、前記吸込収納構造は、マイナスイオン発生部の円径より大きい円径をもつ通路を有し、前記吸込収納構造は、前記通路の一端に通路内径より大きい円径をもつ収納部が開設され、前記マイナスイオン発生部が前記通路に位置決められ、その末端が収納部の内部に設けられることを特徴としている。
【０００６】
また、本発明に係るマイナスイオン発生装置は、マイナスイオン発生器と、吸込収納構造と、気体供給瓶とを備え、前記マイナスイオン発生器は、本体と、導線と、マイナスイオン発生部と、電源供給端とからなり、前記吸込収納構造は、前記マイナスイオン発生部の外に設置され、前記吸込収納構造は、マイナスイオン発生部の円径より大きい円径をもつ通路を有し、前記吸込収納構造は、前記通路の一端に通路内径より大きい円径をもつ収納部が開設され、前記マイナスイオン発生部が前記通路に位置決められ、その末端が収納部の内部に設けられ、前記気体供給瓶は、瓶体と、供気部と、配気管と、嵌め具とを有し、前記瓶体の上に前記供気部が設けられ、前記供気部の内部に切替バルブが設置され、前記供気部から外向きに前記配気管が接続され、前記配気管から嵌め具が延設され、前記嵌め具の内部に前記配気管と接続するための連通管を有することを別の特徴としている。
【発明の効果】
【０００７】
本発明によれば、使用時において、使用者がマイナスイオン発生器の電源供給端を電源と接続することによって、本体内の部品へ電力が供給されて作動するよう構成されている。そして、マイナスイオン発生部からマイナスイオンを発生し始める場合、使用者が吸込収納構造の収納部の一端を鼻孔内または付近に置かれると、吸込収納構造の収納部の一端の外周囲構造体の寸法及び形状を鼻孔内に位置決めすることが可能となることに供する。ゆえに、使用者が呼吸する場合において、吸込収納構造の通路から直接に空気を吸入すると同時に、収納部のマイナスイオンを人体内へ流入させると、これに連動して呼吸が行われる。この時、マイナスイオン発生部により製造されたマイナスイオンは、吸入された空気と混合すると、濃度がより高い割合いになり、使用者の正常呼吸によって肺に吸収され、そのうち、上記収納部の開口端縁が、マイナスイオン発生部の末端と形成された距離は、主に、安全性を考慮するためである。そうすれば、鼻孔は、マイナスイオン発生部の末端と接触することを回避することができるし、またマイナスイオンを効率的に吸収することもできる。即ち、本発明のマイナスイオン発生装置によれば、使用者に、濃度がより高いマイナスイオンを得られ、優れた吸収効果を向上することが図られる。
【０００８】
また、本発明の他の好適実施例によれば、嵌め具は、鼻孔内に嵌設することも可能である。気体Ｈ（本実施例において、気体Ｈは水素ガスである）を瓶体内から流出させ、嵌め具は吸込収納構造と合わせて同時に２つの鼻孔の位置に置入された後に、一方では、吸込収納構造の収納部を用いてマイナスイオン発生部により発生されたマイナスイオンを吸収することができ、他方では、他端に嵌め具の連通管の所から特定気体を吸収することもできる。使用者が吸込収納構造及び嵌め具を合わせて同時に用いることにより、使用者に有用な水素ガスまたはその他の気体を同時に吸引するとともに、マイナスイオンを吸入することが可能になるように提供することができるという優れた効果を達成することができる。
【図面の簡単な説明】
【０００９】
【図１】本発明の好適実施例の組立て図である。
【図２】本発明の好適実施例の部分略図である。
【図３】本発明の他の好適実施例の組立て図である。
【図４】本発明の他の好適実施例の組立て側面図である。
【図５】本発明の他の好適実施例の部分略図である。
【発明を実施するための形態】
【００１０】
図１と図２に示すように、本発明に係るマイナスイオン発生装置は、マイナスイオン発生器１０と、吸込収納構造２０とを備え、前記マイナスイオン発生器１０は、本体１１と、導線１３と、マイナスイオン発生部１３１と、電源供給端１２とからなり、そのうち、前記本体１１の内部に電気エネルギー変換部品と接続される電源供給端１２を有し、その電源供給端１２を介して電気エネルギーが導入された後に、本体１１内の部品により適当量の静電気放電を生じさせ、そして、前記本体１１から外向きに延びて電気的に接続されている導線１３を介して前記マイナスイオン発生部１３１に伝導された後に、マイナスイオン発生部１３１の放電で放出された電子が空気中の原子や分子と作用してマイナスイオンを発生する。なお、マイナスイオン発生器１０は、従来技術に属しているため、原理上、更なる詳細な説明を省略する。また、本発明の特徴としては、前記マイナスイオン発生部１３１の外に、吸込収納構造２０が設置され、前記吸込収納構造２０の中には、マイナスイオン発生部１３１の円径より大きい円径をもつ通路２１を有し、前記吸込収納構造２０は、前記通路２１の一端に通路２１内径より大きい円径をもつ収納部２２が開設され、前記マイナスイオン発生部１３１が組み付けられた後に前記通路２１に位置決められ、その後、このマイナスイオン発生部１３１の末端が前記通路２１の外から略突出するとともに、収納部２２の円径内に位置する。それによって、前記マイナスイオン発生部１３１の末端が、前記収納部２２の開口端縁と距離Ｌを有し、そのうち、前記マイナスイオン発生部１３１は、前記通路２１との間に空気を流通させる間隔を有することにより、空気をその間隔の隙間に流通させることが可能となる。
【００１１】
使用時において、使用者が前記マイナスイオン発生器１０の電源供給端１２を電源３０と接続することによって、前記本体１１内の部品へ電力が供給されて作動するよう構成されている。そして、前記マイナスイオン発生部１３１からマイナスイオンを発生し始める場合、使用者が前記吸込収納構造２０の収納部２２の一端を鼻孔内または付近に置かれると、前記吸込収納構造２０の収納部２２の一端の外周囲構造体の寸法及び形状を鼻孔内に位置決めすることが可能となることに供する。ゆえに、使用者が呼吸する場合において、前記吸込収納構造２０の通路２１から直接に空気を吸入すると同時に、収納部２２のマイナスイオンを人体内へ流入させると、これに連動して呼吸が行われる。この時、マイナスイオン発生部１３１により製造されたマイナスイオンは、吸入された空気と混合すると、濃度がより高い割合いになり、使用者の正常呼吸によって肺に吸収され、そのうち、上記収納部２２の開口端縁が、マイナスイオン発生部１３１の末端と形成された距離Ｌは、主に、安全性を考慮するためである。そうすれば、鼻孔は、マイナスイオン発生部１３１の末端と接触することを回避することができるし、またマイナスイオンを効率的に吸収することもできる。即ち、本発明のマイナスイオン発生装置によれば、前記使用者に、濃度がより高いマイナスイオンを得られ、優れた吸収効果を向上することが図られる。
【００１２】
図３と図４に示すように、本発明の他の好適実施例によれば、本発明はさらに気体供給瓶５０上に応用され、前記気体供給瓶５０は、水素ガスまたは酸素ガス等の気体を提供する装置であり、前記気体供給瓶５０は、主に、瓶体５１を有し、前記瓶体５１の上に供気部５２が設けられ、この供気部５２の上に切替バルブ５３が設置されている。前記供気部５２内の管路の上に設置される切替バルブ５３による開閉動作で、瓶体５１内の気体の流出を開通・閉鎖するようになる。上記供気部５２内の管路から外向きに配気管４１が接続され、供気部５２外の一側に、前述のマイナスイオン発生器１０が接続され、供気部５２から外向きに延びる配気管４１は、上記導線１３とも前記吸込収納構造２０の位置までに延びた後に、前記配気管４１は、前記吸込収納構造２０の位置の一側に嵌め具４０が設置され、前記嵌め具４０の内部に前記配気管４１と接続するための連通管４２を有する。
【００１３】
図５に示すように、前記嵌め具４０は、鼻孔内に嵌設することも可能である。気体Ｈ（本実施例において、前記気体Ｈは水素ガスである）を瓶体５１内から流出させ、前記嵌め具４０は吸込収納構造２０と合わせて同時に２つの鼻孔の位置に置入された後に、一方では、吸込収納構造２０の収納部２２を用いてマイナスイオン発生部１３１により発生されたマイナスイオンを吸収することができ、他方では、他端に嵌め具４０の連通管４２の所から特定気体を吸収することもできる。使用者が吸込収納構造２０及び嵌め具４０を合わせて同時に用いることにより、使用者に有用な水素ガスまたはその他の気体を同時に吸引するとともに、マイナスイオンを吸入することが可能になるように提供することができるという優れた効果を達成することができる。
【符号の説明】
【００１４】
１０   マイナスイオン発生器
１１   本体
１２   電源供給端 
１３   導線
１３１  マイナスイオン発生部
２０   吸込収納構造
２１   通路
２２   収納部
３０   電源
４０   嵌め具
４１   配気管
４２   連通管
５０   気体供給瓶
５１   瓶体
５２   供気部
５３   切替バルブ
Ｈ    気体
Ｌ    距離
【図１】
2014100221.tif 000003
【図２】
2014100221.tif 000004
【図３】
2014100221.tif 000005
【図４】
2014100221.tif 000006
【図５】
2014100221.tif 000007